(57)【特許請求の範囲】
【請求項１】
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が開設されたペット用紙おむつであって、
前記尻尾穴の周囲に形成される紐通し部と、前記紐通し部に配された紐状部材とを有する巾着部が備えられ、
前記テープ部には、前記紐状部材の自由端部を引っ掛けるための切り込みが形成されていることを特徴とするペット用紙おむつ。
【請求項２】
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が開設されたペット用紙おむつであって、
前記尻尾穴の周囲に形成される紐通し部と、前記紐通し部に配された紐状部材とを有する巾着部が備えられ、
前記おむつ本体は、トップシートと、バックシートと、を備え、
前記尻尾穴の周辺において前記トップシートと前記バックシートとは未接着であり、
前記紐通し部は、
前記尻尾穴の周囲に沿って環状に施された第１エンボス加工部と、前記第１エンボス加工部よりも外側に環状に施された第２エンボス加工部と、を備えることを特徴とするペット用紙おむつ。
【請求項３】
前記巾着部は、前記おむつ本体と別体として形成され、
前記おむつ本体におけるペットの尻尾に対応する位置には開口部が形成され、
前記巾着部は、前記開口部を塞ぐように取り付けられることを特徴とする請求項１に記載のペット用紙おむつ。
【請求項４】
前記尻尾穴の縁部には、クッション性を有する保護部材が備えられることを特徴とする請求項１〜３の何れか一項に記載のペット用紙おむつ。
【発明の詳細な説明】
【技術分野】
【０００１】
本発明は、ペット用紙おむつに関する。
【背景技術】
【０００２】
従来、犬や猫などの尻尾を有するペットに対して使用されるペット用紙おむつが知られている。
ペット用紙おむつには、尻尾を通すための穴が設けられている。
しかしながら、尻尾の太さは、ペットの種類や個体差によって異なり、尻尾に比べて穴が大きすぎるとペットの体位が変わった際に隙間ができて漏れが発生する可能性があり、尻尾に比べて穴が小さすぎると装着させにくいという問題があった。
これに対して、例えば、特許文献１には、ペットの尻尾を通すための尻尾通し孔の周縁またはその近傍に、当該尻尾通し孔の周囲に巻きつける巻付部材を設け、尻尾通し孔が尻尾より大きい場合に尻尾通し孔に巻付部材を巻きつけて漏れを防止するペット用おむつが開示されている。
また、特許文献２には、おむつに開口部を設けて当該開口部をシート状物でふさぎ、そのシート状物にスリットを形成することで尻尾の太さに柔軟に対応可能としたペット用おむつが開示されている。
【先行技術文献】
【特許文献】
【０００３】
【特許文献１】特開２００４−１５９５９１号公報
【特許文献２】特許第３７７３６２２号公報
【発明の概要】
【発明が解決しようとする課題】
【０００４】
しかしながら、特許文献１記載のペット用おむつは、尻尾通し孔に尻尾を挿入した後、巻付部材を巻きつける必要があり、装着させるのが面倒なものであった。
また、特許文献２記載のペット用おむつは、尻尾が細すぎる場合には、尻尾がスリットをすり抜けてしまう可能性があった。
【０００５】
本発明の課題は、装着させやすく、様々な尻尾の太さに対応できるペット用紙おむつを提供することである。
【課題を解決するための手段】
【０００６】
上記課題を解決するために、請求項１に記載の発明は、
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が開設されたペット用紙おむつであって、
前記尻尾穴の周囲に形成される紐通し部と、前記紐通し部に配された紐状部材とを有する巾着部が備えられ、
前記テープ部には、前記紐状部材の自由端部を引っ掛けるための切り込みが形成されていることを特徴とする。
【０００７】
請求項２に記載の発明は、
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が開設されたペット用紙おむつであって、
前記尻尾穴の周囲に形成される紐通し部と、前記紐通し部に配された紐状部材とを有する巾着部が備えられ、
前記おむつ本体は、トップシートと、バックシートと、を備え、
前記尻尾穴の周辺において前記トップシートと前記バックシートとは未接着であり、
前記紐通し部は、
前記尻尾穴の周囲に沿って環状に施された第１エンボス加工部と、前記第１エンボス加工部よりも外側に環状に施された第２エンボス加工部と、を備えることを特徴とする。
【０００８】
また、請求項３に記載の発明は、請求項１に記載のペット用紙おむつにおいて、
前記巾着部は、前記おむつ本体と別体として形成され、
前記おむつ本体におけるペットの尻尾に対応する位置には開口部が形成され、
前記巾着部は、前記開口部を塞ぐように取り付けられることを特徴とする。
【０００９】
また、請求項４に記載の発明は、請求項１〜３の何れか一項に記載のペット用紙おむつにおいて、
前記尻尾穴の縁部には、クッション性を有する保護部材が備えられることを特徴とする。
【発明の効果】
【００１１】
本発明によれば、巾着部が備えられることにより、ペットの尻尾を通す尻尾穴を巾着式にすぼめることができる。
このため、尻尾穴に尻尾を通したあと、尻尾の太さに合せて尻尾穴をすぼめることができ、尻尾穴のフィット性を向上させることができる。
よって、尻尾穴を比較的大きく形成できるので装着させやすく、様々な尻尾の太さに対応することができる。
【図面の簡単な説明】
【００１２】
【図１】本発明に係る紙おむつの外面側の平面図である。
【図２】図１の紙おむつの内面側の平面図である。
【図３】図２のＩＩＩ‐ＩＩＩ線における断面図である。
【図４】図１の紙おむつの装着時の状態を示す斜視図である。
【図５】図１の紙おむつの要部拡大図である。
【図６】尻尾穴の変形例を示す図である。
【図７】テープ部の変形例を示す図である。
【図８】巾着部の形成方法の他の態様を示す図である。
【発明を実施するための形態】
【００１３】
以下に、図を参照しつつ、本発明の実施の形態を詳細に説明する。但し、発明の範囲は、図示例に限定されない。
【００１４】
本発明に係る紙おむつ１は、例えば、室内で飼われる犬や猫等のペットに対して使用されるペット用紙おむつである。
なお、以下の説明では、紙おむつ１において、長手方向一端側を前側、他端側を後側とし、短手方向一端側を左側、他端側を右側とし、前後方向及び左右方向の双方に直交する方向を上下方向とする。
【００１５】
紙おむつ１は、図１、２に示すように、紙おむつ本体である本体部１０と、本体部１０をペットの体に装着するためのテープ部２０、２０と、テープ部２０を係止させるためのターゲット部３０と、を備え、テープ部２０、２０をターゲット部３０に止着することで装着される止着式の紙おむつである。
また、紙おむつ１には、ペットの尻尾を通す尻尾穴４０と、尻尾穴４０を巾着式にすぼめることを可能とする巾着部５０と、が備えられている。
【００１６】
紙おむつ１は、図４に示すように、装着時にペットの体の腹から尻を覆う形状に形成されている。
具体的には、本体部１０の前端部がペットの腹付近に位置する腹側部１１を形成し、本体部１０の後端部がペットの尻付近に位置する尻側部１２を形成し、本体部１０の両側部がペットの後脚の脚周りに位置する脚周り部１３、１３を形成する。
腹側部１１の両側部には、直線状に糸ゴム等の弾性部材１４がそれぞれ設けられ、この弾性部材１４により平面ギャザーが形成され、腹側部１１がペットの腹から後脚の脚周りにかけて伸縮自在にフィットし、横漏れを防止するようになっている。
また、腹側部１１において脚周り部１３よりも両外側に延出した腹側延出部１１１、１１１と、尻側部１２において脚周り部１３よりも両外側に延出した尻側延出部１２１、１２１とは、紙おむつ１が装着された際に胴周り部１６を形成する。
なお、この際、例えば、尻側部１２の胴周り方向に沿った縁部中央に、糸ゴム等の弾性部材（図示省略）を幅方向に沿って設け、この弾性部材により平面ギャザーを形成して、本体部１０をペットの胴周りにフィットするように伸縮自在な構成としても良い。
【００１７】
本体部１０は、ペットの体との接触面側に設けられる透液性の不織布からなるトップシート１０ａと、装着時にペットの体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００１８】
トップシート１０ａは、紙おむつ１を装着した際にペットの体に接する面に設けられ、体液を受けて吸収体１０ｃまで輸送する役割を果たす、透液性のシートである。
トップシート１０ａは、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００１９】
バックシート１０ｂは、紙おむつ１を装着した際にペットの体に接する面と反対側の面に設けられ、体液などの紙おむつ１外部への染み出し、漏れ出しを防ぐ役割を果たす、不透液性のシートである。
バックシート１０ｂも、トップシート１０ａと同様に不織布が好適に用いられる。なお、バックシート１０ｂは、例えば、ポリエチレンやポリプロピレン等の少なくとも遮水性を有するシート材であって、ムレ防止の観点から透湿性を有するシート材であることが好ましい。
なお、トップシート１０ａ及びバックシート１０ｂの間に、ポリエチレンフィルムからなるシート材を挟むこととしても良い。
【００２０】
吸収体１０ｃは、図３に示すように、例えば、綿やパルプ等の吸収性素材や、繊維或いはフィルム等のシート状基材と高吸収性ポリマーのような高吸水性樹脂とが組み合わされて形成された吸収体コアＳ１が、透液性のクレープ紙、不織布、孔開きシート等のシート材Ｓ２により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。
吸収体１０ｃは、少なくともペットの体の腹部を覆う位置に備えられている。具体的には、吸収体１０ｃは、本体部１０の前端部から尻尾穴４０の前まで、即ち、腹側部１１全体を覆うように備えられている。
【００２１】
ギャザーシート１０ｄ、１０ｄは、トップシート１０ａ側において、吸収体１０ｃの長手方向に沿った両側部に、腹側部１１から尻側部１２に亘ってそれぞれ備えられている。
このギャザーシート１０ｄ、１０ｄの幅方向外側の部分は、吸収体１０ｃの側方でトップシート１０ａの上面に固着されている。
また、このギャザーシート１０ｄ、１０ｄの幅方向内側の部分は、トップシート１０ａに固定されておらず、その長手方向に沿って配される糸ゴム等の弾性部材１５を挟んだ状態で折り返されて接着されて立ち上がり、ペットの体型に合わせて伸縮自在に変形可能な立体ギャザーが形成されている。
【００２２】
テープ部２０、２０は、腹側部１１の腹側延出部１１１、１１１の左右側方において、それぞれ外側に向かって突出して備えられている。
テープ部２０は、シート基材２１を備えて構成されている。
シート基材２１は、例えばポリエチレンやポリプロピレン等の各種のプラスチックフィルムを、所定の厚さに形成した基材シートであり、その基端部が紙おむつ１に接合されている。なお、シート基材２１の基端部は、トップシート１０ａやバックシート１０ｂの内面又は外面に貼り付けても良いし、トップシート１０ａとバックシート１０ｂとの間に挟んで固定しても良い。
【００２３】
シート基材２１の内面（ターゲット部３０と対向する面）には、ファスニングテープ２２が設けられている。
ファスニングテープ２２の表面には、面ファスナのオス材の係止要素である、鉤状、きのこ状、錨状等の多数の突起が形成されたフック材が設けられており、ターゲット部３０の係止層３１（後述）と係合させるようになっている。なお、ファスニングテープ２２の裏面はシート基材２１に固着されている。
テープ部２０は、このファスニングテープ２２によって、ターゲット部３０に着脱自在に止着可能となっている。
【００２４】
ターゲット部３０は、尻側部１２における外面であるバックシート１０ｂ側に備えられている。
ターゲット部３０は、テープ部２０、２０のファスニングテープ２２を係止するためのメス材の係止要素である係止層３１を備えている。
係止層３１は、基材シートにループ状の繊維であるループ材（図示省略）が配置されて構成されている。このループ材は、ファスニングテープ２２の表面に形成されたフック材と機械的に係合する。すなわち、ループ材の表面にフック材を重ね合わせ、フック材の多数の突起をループ材の表面に係合させることにより、両部材を着脱可能な状態に、且つ、強固に固着させることができる。
【００２５】
なお、ファスニングテープ２２のフック材は、ループ材以外にも、織布、不織布、フェルト、パイル等の繊維状の表面を有する素材にも係合させることが可能である。具体的には、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、この場合、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００２６】
尻尾穴４０は、本体部１０において長手方向の中央よりやや後ろよりであって、吸収体１０ｃの後側となる位置に、本体部１０を貫通するように開設されている。
尻尾穴４０は、紙おむつ１装着時にペットの尻尾を通すためのものである。尻尾穴４０の大きさに特に限定はないが、本実施形態の尻尾穴４０は、尻尾の出し入れが困難でない程度に十分な大きさに形成されている。
また、尻尾穴４０の形状に特に限定はなく、例えば、円形、四角形などの形状を適宜設定可能である。
【００２７】
巾着部５０は、尻尾穴４０を巾着式にすぼめることを可能とするため設けられたものであって、尻尾穴４０の周囲に形成される紐通し部５１と、紐通し部５１に配された紐状部材５２とを有して構成されている。
【００２８】
紐通し部５１は、図５に示すように、例えば、尻尾穴４０の周囲に沿って施された環状の径の異なる２つのエンボス加工部（第１エンボス加工部５１１、第２エンボス加工部５１２）により形成されている。
第１エンボス加工部５１１は、尻尾穴４０より僅かに大きな径となるよう形成され、第２エンボス加工部５１２は、第１エンボス加工部５１１より大きな径であって第１エンボス加工部５１１よりも外側に形成されている。即ち、第１エンボス加工部５１１は、紐通し部５１の内円を形成し、第２エンボス加工部５１２は、紐通し部５１の外円を形成している。
そして、第１エンボス加工部５１１及び第２エンボス加工部５１２においては、トップシート１０ａとバックシート１０ｂとが接着されているので、第１エンボス加工部５１１及び第２エンボス加工部５１２に挟まれたトップシート１０ａとバックシート１０ｂとが未接着の領域は空洞となり、紐通し部５１が形成される。
この紐通し部５１には、当該紐通し部５１を形成するバックシート１０ｂの２箇所に切り込みを入れることで形成された紐取出し口５３、５３が設けられており、紐取出し口５３、５３から、紐通し部５１内の紐状部材５２の両端部が外部に取り出されている。
そして、紐取出し口５３、５３から外部に取り出された紐状部材５２を引っ張ると、尻尾穴４０を巾着式にすぼめられるようになっている。
【００２９】
また、上記した巾着部５０の形成方法としては、例えば、以下の方法が挙げられる。
先ず、本体部１０の尻尾穴４０を形成する領域においてトップシート１０ａとバックシート１０ｂとを未接着としておき、尻尾穴４０を開設する。
次に、当該尻尾穴４０の周囲に上記第１エンボス加工部５１１及び第２エンボス加工部５１２となるエンボス加工を施す。
次に、第１エンボス加工部５１１及び第２エンボス加工部５１２により形成された紐通し部５１に紐取出し口５３、５３を設け、紐通し部５１内に紐状部材５２を通す。
【００３０】
なお、トップシート１０ａとバックシート１０ｂの未接着な領域に上記第１エンボス加工部５１１及び第２エンボス加工部５１２となるエンボス加工を施した後、第１エンボス加工部５１１の内側に尻尾穴４０を開設することとしても良い。
【００３１】
紐状部材５２は、上記したように、紐通し部５１に配され、その両端部が紐取出し口５３、５３から外部に取り出されて、引っ張ることが可能となっている。
この紐状部材５２の素材に特に限定はないが、例えば、各種の紐、糸、糸ゴム、天然ゴム等が用いられ、特に、伸縮性の観点から、糸ゴム、天然ゴムが好適に用いられる。また、紐状部材５２は、紐通し部５１を通る程度の太さであればその太さも特に限定されない。
【００３２】
次に、紙おむつ１の装着方法について説明する。
先ず、尻尾穴４０に尻尾を通して、紙おむつ１の腹側部１１をペットの腹部に当てると共に、紙おむつ１の尻側部１２をペットの尻部に当てる。
次に、腹側部１１の腹側延出部１１１、１１１に設けられたテープ部２０、２０を、ペットの体と紙おむつ１との間に隙間ができないように尻側部１２に設けられたターゲット部３０に係止させ、紙おむつ１を装着する。
次に、紐状部材５２を左右に引いて、尻尾穴４０を尻尾の大きさに合せて巾着式にすぼめる。
次に、テープ部２０、２０とターゲット部３０とを、紐状部材５２の自由端部を挟むようにして再止着する。
なお、尻尾穴４０をすぼめた後の紐状部材５２の始末の仕方はこれに限られず、例えば、尻尾に巻いて結ぶこととしても良い。
また、紙おむつ１の装着方法としては、尻尾穴４０に尻尾を通して当該尻尾穴４０を巾着式にすぼめた後、テープ部２０、２０をターゲット部３０に係止させて紙おむつ１を装着することとしても良い。
【００３３】
以上にように、本実施形態による紙おむつ１によれば、巾着部５０が備えられることにより、ペットの尻尾を通す尻尾穴４０を巾着式にすぼめることができる。
このため、尻尾穴４０に尻尾を通したあと、尻尾の太さに合せて尻尾穴４０をすぼめることができ、尻尾穴４０のフィット性を向上させることができる。
よって、尻尾穴４０を比較的大きく形成できるので装着させやすく、様々な尻尾の太さに対応することができる。
【００３４】
また、本実施形態による紙おむつ１によれば、本体部１０は、トップシート１０ａと、バックシート１０ｂと、を備え、尻尾穴４０の周辺においてトップシート１０ａとバックシート１０ｂとは未接着であり、尻尾穴４０の周囲に沿って環状に施された第１エンボス加工部５１１と、第１エンボス加工部５１１よりも外側に環状に施された第２エンボス加工部５１２と、を備えている。
このため、第１エンボス加工部５１１及び第２エンボス加工部５１２により紐通し部５１を形成することができる。
【００３５】
なお、図６に示すように、尻尾穴４０の縁部に、クッション性を有する保護部材６０を備えることとしても良い。
保護部材６０とは、ペットの尻尾と尻尾穴４０の間に配され、例えば尻尾を振ったときなどにできる摩擦による擦れを軽減するためのものであり、例えば、綿などが使用される。
このように構成することにより、例えば、毛量の少ないペットであっても、尻尾穴４０の縁で尻尾が擦れて尻尾に傷がつくのを防止することができる。
【００３６】
また、図７に示すように、テープ部２０、２０に、紐状部材５２の自由端部を引っ掛けるための切り込み２３を形成することとしても良い。
このように構成することにより、紐状部材５２がテープ部２０、２０に引っ掛かり易くなり、尻尾穴４０をすぼめた後の紐状部材５２の自由端部の始末が簡単になる。従って、紙おむつ１の装着を容易に行うことができる。
また、紐状部材５２をテープ部２０、２０の切り込み２３に引っ掛けることによって、尻尾穴４０の尻尾へのフィット性を維持した装着ができることとなり、装着後にペットが動いても、体液が漏れることが無い。
【００３７】
また、巾着部の形成方法としては、図８に示すように、巾着部５０Ａを、本体部１０Ａと別体として形成することとしても良い。
この場合、本体部１０Ａのペットの尻尾に対応する位置には開口部１７を形成し、別体として形成した巾着部５０Ａを本体部１０Ａの開口部１７を塞ぐように取り付けることで尻尾穴４０を形成する。巾着部５０Ａの本体部１０Ａの取り付けは、例えば、巾着部５０Ａの周縁部を本体部１０Ａに接着する等で行うことができる。
【００３８】
また、吸収体１０ｃは、腹側部１１から尻側部１２にかけて（即ち、本体部の長手方向全体に亘って）装着することとしても良い。
この場合であっても、トップシート１０ａ、バックシート１０ｂ、吸収体１０ｃを貫通するよう開口部１７を形成し、当該開口部１７を覆うように巾着部５０Ａを取り付けて、尻尾穴４０を形成すれば良い。
【符号の説明】
【００３９】
１  紙おむつ（ペット用紙おむつ）
１０、１０Ａ  本体部（おむつ本体）
１０ａ  トップシート
１０ｂ  バックシート
１０ｃ  吸収体
Ｓ１  吸収体コア
Ｓ２  シート材
１０ｄ  ギャザーシート
１１  腹側部
１１１  腹側延出部
１２  尻側部
１２１  尻側延出部
１３  脚周り部
１４  弾性部材
１５  弾性部材
１６  胴周り部
１７  開口部
２０  テープ部
２１  シート基材
２２  ファスニングテープ
２３  切り込み
３０  ターゲット部
３１  係止層
４０  尻尾穴
５０、５０Ａ  巾着部
５１  紐通し部
５１１  第１エンボス加工部
５１２  第２エンボス加工部
５２  紐状部材
５３  紐取出し口
６０  保護部材
【図１】
0005785752.tif 000002
【図２】
0005785752.tif 000003
【図３】
0005785752.tif 000004
【図４】
0005785752.tif 000005
【図５】
0005785752.tif 000006
【図６】
0005785752.tif 000007
【図７】
0005785752.tif 000008
【図８】
0005785752.tif 000009